(57)【要約】  本発明は、ポリマー材料又は複合材料からなる管用のクランプ接続部であって、接続すべき管が被嵌される支持スリーブを有し、一端においてストッパ鍔により画定され、支持スリーブにシールエレメントが配置されている接続部材と、管組み付け前に既に接続部材のストッパ鍔に紛失不能に結合されているクランプスリーブと、を備えるクランプ接続部において、支持スリーブ上に導入された管のクランプは、クランプスリーブを管の導入方向とは逆方向に管上を移動させることによって実施される、管用のクランプ接続部に関する。
2015524041.tif 000002
【特許請求の範囲】
【請求項１】
ポリマー材料又は複合材料からなる管（１４）用のクランプ接続部（１）であって、
接続すべき管（１４）が被嵌される支持スリーブ（３）を有し、一端においてストッパ鍔（４）により画定され、前記支持スリーブ（３）にシールエレメント（５）が配置されている接続部材（２）と、
管組み付け前に既に前記接続部材（２）のストッパ鍔（４）に紛失不能に結合されているクランプスリーブ（６）と、
を備えるクランプ接続部（１）において、
前記支持スリーブ（３）上に導入された管（１４）のクランプは、前記クランプスリーブ（６）を管（１４）の導入方向とは逆方向に該管（１４）上を移動させることによって実施されることを特徴とする、管用のクランプ接続部。
【請求項２】
前記接続部材（２）の内径は、導入すべき管（１４）の内径に略一致するか、あるいは導入すべき管（１４）の内径より僅かに小さい、請求項１記載のクランプ接続部。
【請求項３】
前記接続部材（２）は、導入円錐体（１１）を有する、請求項１又は２記載のクランプ接続部。
【請求項４】
前記接続部材（２）のストッパ鍔（４）は、管組み付け後の前記クランプスリーブ（６）の移動を片側において阻止する、請求項１記載のクランプ接続部。
【請求項５】
導入された管（１４）の引き抜きは、前記クランプスリーブ（６）を前記シールエレメント（５）に向かって移動させ、クランプを強める、請求項１から４までのいずれか１項記載のクランプ接続部。
【請求項６】
前記クランプスリーブ（６）は、半径方向の弾性を示す弾性領域（９）と、堅固な剛性領域（１０）とを有する、請求項１から５までのいずれか１項記載のクランプ接続部。
【請求項７】
前記クランプスリーブ（６）の内径は、前記剛性領域（１０）でテーパする、請求項１から６までのいずれか１項記載のクランプ接続部。
【請求項８】
前記クランプスリーブ（６）の内径は、前記剛性領域（１０）で前記弾性領域（９）に向かってテーパする、請求項７記載のクランプ接続部。
【請求項９】
前記クランプスリーブ（６）の弾性領域（９）は、半径方向に配置される少なくとも２つのセグメント（７）により形成されている、請求項１から８までのいずれか１項記載のクランプ接続部。
【請求項１０】
前記セグメント（７）は、半径方向に延びる凹部（８）を有する、請求項９記載のクランプ接続部。
【発明の詳細な説明】
【技術分野】
【０００１】
本発明は、ポリマー材料又は複合材料からなる管用のクランプ接続部であって、接続すべき管が被嵌される支持スリーブを有し、一端においてストッパ鍔により画定され、支持スリーブにシールエレメントが配置されている接続部材と、管組み付け前に既に接続部材のストッパ鍔に紛失不能に結合されているクランプスリーブと、を備えるクランプ接続部に関する。
【０００２】
例えばＰＥ−Ｘ管等のポリマー材料からなる管や、例えばＰＥ−Ｘ等のポリマー材料からなる内層及び外層とアルミニウムからなる中間層とを有する積層複合管は、主に家関連技術、飲料水供給、床暖房又は発熱体接続管路において使用される。
【０００３】
この種のクランプ接続部は、大抵の場合、暖房設備及び衛生設備において、管同士を接続したり、管と、弁等の各種器具あるいは金具とを接続したりするために使用される。クランプ接続部により簡単かつ迅速な施工が提供されている。さらに持続的な封止が保証されている。持続的な封止は、このような接続部にあっては、水漏れがかなりの損害を引き起こす恐れがあるので、重要である。
【０００４】
独国特許第４２３９７０５号明細書において、クランプスリーブとフィッティング基体とからなるクランプ接続部が公知である。クランプスリーブは、それぞれ両スリーブ端部からクランプスリーブの中央部まで、円錐状に狭窄するか、又は円錐状及び凸面状の複合形で狭窄する孔として形成されている内側輪郭を有している。クランプスリーブのこの内側輪郭は、クランプスリーブが管にどう被嵌されるかに関わらず、クランプスリーブの使用が可能であるようにする。
【０００５】
この公知のクランプ接続部における欠点は、クランプスリーブの複雑な内側輪郭の製造と、製造に続く輪郭の管理とにある。
【０００６】
独国特許第１９５１４２１０号明細書も、同種の管及びチューブ用のクランプ接続部を開示している。支持スリーブ及びクランプスリーブは、封止性及び長手方向摩擦力結合性が改善されるように形成されている。このことは、支持スリーブに設けられたリブと、クランプスリーブの内側輪郭とにより達成されるはずのものである。
【０００７】
前述の両クランプ接続部には、接続すべき管を接続前にまず拡開し、これにより、次に支持スリーブに被せ嵌めることができるようにしなければならないという欠点がある。このことは、組み付けをより手間のかかるものとする付加的な作業工程を招く。加えて、前述の接続部では、支持スリーブに管を取り付ける前にクランプスリーブを被嵌することは、忘れられ易い。それゆえ、この場合、管は、再び支持スリーブから取り外され、クランプスリーブは、後から管に被嵌されねばならない。その後、管は、改めて支持スリーブに被嵌され得る。
【０００８】
独国実用新案第２０２００４００００３１号明細書は、支持スリーブ、プレススリーブ及び圧潰スリーブを有する管プレス継手を開示している。個々の部品は、既に管組み付け前に前組み立てされている。これにより（本）組み立ての手間は最小限に削減可能である。加えて、これにより組み立て自体、管継手が最初に組み合わされる必要がないため、大幅に簡単化されている。
【０００９】
しかし、この継手における欠点は、管横断面に関する著しい横断面狭窄である。加えてこの種の管接続部は、前述の接続部も同様であるが、管に強い引っ張り力が働くと、クランプ／プレスが解除あるいはクランプスリーブ／プレススリーブが解離してしまうという欠点を有している。
【００１０】
本発明の課題は、組み立てが容易であるとともに、製造面で有利なクランプ接続部を提案することである。加えて、組み付けられた管に引っ張り力が作用しても、接続は解除されてはならず、あるいはクランプ接続は強化されることが望ましい。
【００１１】
上述の課題は、本発明により、支持スリーブ上に導入された管のクランプが、クランプスリーブを管の導入方向とは逆方向に管上を移動させることによって実施されることにより解決される。
【００１２】
このクランプ接続部の好ましい態様は、接続部材の内径が、導入すべき管の内径に略一致するか、あるいは導入すべき管の内径より僅かに小さいことにある。これにより、管路内、あるいは器具の接続口における横断面狭窄は、本発明に係るクランプ接続部により僅かに維持されることができ、このことは、流動技術的に好ましい。
【００１３】
管路への本発明に係るクランプ接続部の取り付けあるいはクランプ接続部への管の導入は、従来技術におけるクランプ接続部において知られているような、管を先行して拡開し、これにより次に接続部材に被せ嵌めることができるようにする付加的な作業工程を必要としない。接続部材あるいは支持スリーブに設けられた導入円錐体は、予め拡開することなく管を導入することを可能にする。導入円錐体は、とりわけ管を拡開するために用いられる。
【００１４】
さらに接続部材のストッパ鍔は、クランプ接続部が組み立てられた状態で、クランプスリーブの移動を片側において阻止するために、あるいはクランプスリーブのための片側のストッパとして用いられる。これにより、このような接続部は、再解除不能でもある。
【００１５】
加えて、本発明に係るクランプ接続部により、管に引っ張り力が作用した場合に、接続あるいはクランプ作用が強化されることが達成される。これは、管に作用する引っ張り力によるシールエレメントに向かう方向でのクランプスリーブの移動が、シールエレメントあるいは支持スリーブと、クランプスリーブのテーパした内径との間でのクランプ作用をさらに強化するからである。
【００１６】
クランプスリーブは、好ましくは２つの領域を有している。２つの領域のうちの一方は、弾性を示す弾性領域であり、クランプ接続部の前組み立て及び組み立てのために用いられる。第２の領域は、堅固な剛性領域であり、管のクランプ及びガイドのために用いられる。もちろん、クランプスリーブは、さらに別の領域を有していてもよい。
【００１７】
内径のテーパにより、管のクランプは、シールエレメントあるいは支持スリーブの横断面拡大部との協働により達成される。テーパは、クランプスリーブの剛性領域において弾性領域に向かって実施される。弾性領域の内径の寸法は、剛性領域の内径あるいは内側輪郭の延びとは無関係であり、好ましくは、弾性領域における内径は、導入される管の外径よりも大きく、クランプ接続部が組み立てられた状態でも管に接しない。
【００１８】
弾性領域は、少なくとも２つのセグメントにより形成され、これらのセグメントは、好ましくは規則的に周囲に分配されている。好ましくは、弾性領域は、半径方向の弾性を保証する８〜１６個のセグメントを有している。
【００１９】
セグメントの内径に沿って設けられた凹部は、クランプスリーブの軸方向の位置決め及び固定のために用いられる。これにより、クランプスリーブは、ストッパ鍔に固定、位置決めあるいは前組み立てされる。凹部は、ストッパ鍔の幅に相当する。好ましい態様は、クランプスリーブの凹部とストッパ鍔とが、対応する移行部あるいは斜面を有していることにある。移行部あるいは斜面は、クランプスリーブの組み立てあるいはストッパ鍔からのクランプスリーブの引き下げあるいは押し下げを容易にする。
【００２０】
本発明の一実施の形態について図面を参照しながら説明する。ただし、本発明は、本実施の形態だけに限定されるものではない。
【図面の簡単な説明】
【００２１】
【図１】前組み立てされている本発明に係るクランプ接続部の、管組み付け初期の縦断面図である。
【図２】前組み立てされている本発明に係るクランプ接続部の、管組み付けが若干進行したときの縦断面図である。
【図３】前組み立てされている本発明に係るクランプ接続部の、管が完全に導入されたときの縦断面図である。
【図４】前組み立てされている本発明に係るクランプ接続部の、組み立てが完了した状態の縦断面図である。
【図５】両側に本発明に係るクランプ接続部を有する前組み立てされている管継手の縦断面図である。
【図６】管を接続する本発明に係るクランプ接続部を有する分配器を示す図である。
【図７】本発明に係るクランプ接続部のクランプスリーブの縦断面図及び平面図である。
【００２２】
図１は、接続すべき管１４が既に支持スリーブ３の円錐形の領域あるいは導入円錐体１１に軽く被嵌されている本発明に係るクランプ接続部１を示している。接続部材２は、導入円錐体１１を有している。導入円錐体１１は、接続すべき管１４の導入を可能にする。管１４の先行拡開は、導入円錐体１１により省略可能である。管１４の先行拡開の省略は、組み立ての際の１つの作業工程を減らし、これにより組み立てをより簡単かつ迅速にする。ポリマー材料又は複合材料から製造されている管１４は、導入中に導入円錐体１１を介して拡開せしめられ、これにより接続部材２あるいは支持スリーブ３の挿入が可能となる。既に接続部材２に前組み立てされているクランプスリーブ６は、とりわけ管１４を導入中にガイドするために用いられ、このことは、図２に看取可能である。管１４は、クランプスリーブ６に到達すると、クランプスリーブ６の内側輪郭あるいは内径と、支持スリーブ３とに沿って案内される。好ましくはＯリングにより形成されるシールエレメント５は、クランプ接続部１を最適にシールするために用いられている。シールエレメント５は、支持スリーブ３に配置されており、このために設けられた溝１２内に存在している。溝１２は、シールエレメント５の移動を防止している。管１４は、Ｒ部１３までクランプ接続部１内に挿入され、次に、既に接続部材２に前組み立てされているクランプスリーブ６により固定される。既に言及したように、クランプスリーブ６は、接続部材２に前組み立てされている。接続部材２は、支持スリーブ３の導入円錐体１１とは反対側の端部にストッパ４を有している。ストッパ４は、とりわけクランプスリーブ６を前組み立てするために用いられる。クランプスリーブ６は、ストッパ鍔４に取り付けられる。クランプスリーブ６の前組み立てと、ストッパ鍔４からのクランプスリーブ６の引き抜きとは、クランプスリーブ６の、半径方向の弾性を示す弾性領域９により保証されている。弾性領域９は、図７に看取可能な複数のセグメント７をクランプスリーブ６に配置したことで、クランプスリーブ６に形成される。前組み立てのためにセグメント７は、半径方向で軽く拡開され、これにより接続部材２のストッパ鍔４を導入することができる。続いてセグメント７は、セグメント７が有する弾性によりストッパ鍔４をクランプして、ストッパ鍔４に留められる。セグメント７の内側輪郭は、ストッパ鍔４の幅に相当する凹部８を有しており、これによりクランプスリーブ６は、軸方向でストッパ鍔４に固定あるいは位置決めされている。弾性領域９は、少なくとも２つのセグメント７からなっている。クランプスリーブ６及びストッパ鍔４が、移行部１５を有し、これによりクランプスリーブ６をストッパ鍔４から、導入された管１４側に引き下げあるいは押し下げ易くなっていると、有利である。図３は、この工程を示している。セグメント７により形成される弾性領域９は、クランプスリーブ６が管１４の導入とは逆方向に移動するように変形する。これにより、クランプスリーブ６の移行部１５は、ストッパ鍔４の移行部１５上を摺動し、これによりクランプスリーブ６は、導入された管１４に向かって移動する。クランプスリーブ６の内側輪郭あるいは内径が、クランプスリーブ６の堅固な剛性領域１０にテーパを有し、剛性領域１０における内径が弾性領域９に向かって減少していることにより、組み立て時あるいはクランプ工程時、クランプスリーブ６のテーパした部分あるいはクランプスリーブ６は、シールエレメント５に向かって移動する。シールエレメント５と、このために設けられた溝１２とにより、支持スリーブ３は、この箇所に拡大された横断面を有している。このことは、シールエレメント５に向かってクランプスリーブ６を移動させたときに、クランプ作用を発現する。
【００２３】
図４には、組み立てが完了したクランプ接続部１が示してある。図４からは、管１４に引っ張り力が作用すると、クランプスリーブ６も、同じ方向で移動し、これによりクランプスリーブ６のテーパした直径に基づいてシールエレメント５に接近すること、あるいはクランプスリーブ６とシールエレメント５との間に存在する管１４が、相応に押し潰されることになるため、クランプが強化されることも看取可能である。ストッパ鍔４は、組み立て後は、クランプスリーブ６が他方向でも制限され、抜けないようにしている。
【００２４】
従来技術では、管の導入方向とは逆向きのクランプスリーブの移動が実施される本発明のようなクランプ接続部は、知られていない。これは、これにより管が公知のクランプ接続部では再び支持スリーブから引き下げあるいは押し下げられてしまうことになるため、このようなプロセスがこれまでは非論理的と感じられていたことに起因する。加えて、前組み立てされている従来管用のクランプ接続部におけるクランプスリーブは、やはり支持スリーブに取り付けられているものの、ストッパ鍔側ではなく、導入すべき管側に取り付けられている。
【００２５】
本発明のクランプスリーブ６の内側輪郭の延びあるいは内径のテーパの延びと、シールエレメント５による支持スリーブ３の横断面拡大とにより、管１４の上述の方向での組み立てが可能である。この場合、管に引っ張り力が作用したときにクランプが解除されず、反対に強化されるようになったクランプ作用を達成するために、シールエレメント５なしに支持スリーブ３に単なる横断面拡大部を設けることも可能である。加えて図４からは、接続部材２の内径が、導入すべき管１４と略同じ横断面あるいは直径を有していることが看取可能である。これにより管継手又は各種器具接続口における管路の狭窄は、本発明に係るクランプ接続部により軽減可能である。加えて、最適な移行が導入円錐体１１により形成されるため、導入される接続部材２により流動を妨げる障害物が発生することはない。
【００２６】
図５は、管１４を接続するのに好適な管継手１６を示している。管継手１６は、両側に本発明に係るクランプ接続部１を有している。管継手１６は、前組み立てされた状態で示されている。このようなクランプ接続部１は、例えば器具に接続するためにも好適である。
【００２７】
図６は、分配器に配置されている本発明に係るクランプ接続部１を示している。
【００２８】
図７に単体で図示した本発明に係るクランプ接続部１のクランプスリーブ６は、弾性領域９を有している。この半径方向の弾性を示す弾性領域９は、周方向に沿って配置される複数のセグメント７からなっている。セグメント７の数及び大きさは、クランプ接続部１に課せられる要求と、クランプ接続部１の寸法とに合わせて調整可能である。加えてクランプスリーブ６は、導入された管１４のクランプを可能にする堅固な剛性領域１０を有している。剛性領域１０における内側輪郭あるいは内径は、弾性領域９に向かってテーパし、これにより前述したような形で支持スリーブ３に応じたクランプ作用が達成される。好ましくは、クランプスリーブ６は、外周面にランド１７を有している。ランド１７は、組み立てのために用いられる。クランプスリーブ６に設けられたランド１７により、対応する組み立て工具を用いて、クランプ接続部１の組み立てが可能である。
【符号の説明】
【００２９】
１  クランプ接続部
２  接続部材
３  支持スリーブ
４  ストッパ鍔
５  シールエレメント
６  クランプスリーブ
７  セグメント
８  凹部
９  弾性領域
１０  剛性領域
１１  導入円錐体
１２  溝
１３  Ｒ部
１４  管
１５  移行部
１６  管継手
１７  ランド
【図１】
2015524041.tif 000003
【図２】
2015524041.tif 000004
【図３】
2015524041.tif 000005
【図４】
2015524041.tif 000006
【図５】
2015524041.tif 000007
【図６】
2015524041.tif 000008
【図７】
2015524041.tif 000009
【国際調査報告】
2015524041.tif 000010
2015524041.tif 000011
2015524041.tif 000012
2015524041.tif 000013